(57)【要約】【課題】  本発明は、簡易な構造で確実に糊液面の水位の急激な低下を抑制することができる糊付け装置、及びこれを用いたコルゲートマシンにおけるシングルフェーサ或いはグルーマシンを提供することを目的とする。【解決手段】  本発明にかかる糊付け装置４は、芯紙又はライナの紙幅に合せて可動する一対の糊ダム８と、該糊ダム８により形成される糊液槽６内に溜められた糊を段成形された前記芯紙の段頂部に供給する糊付ロール５とを備えた糊付け装置４において、紙幅変更に伴って前記糊ダム８が拡幅する際に、前記糊液槽６内の容積を拡幅前の状態に維持して糊の液面を保持する糊液面保持手段を有することを特徴とする。【選択図】      図２
2006069095.tif 000002
【特許請求の範囲】
【請求項１】
芯紙又はライナの紙幅に合せて可動する一対の糊ダムと、該糊ダムにより形成される糊液槽内に溜められた糊を段成形された前記芯紙の段頂部に供給する糊付ロールとを備えた糊付け装置において、
紙幅変更に伴って前記糊ダムが拡幅する際に、前記糊液槽内の容積を拡幅前の状態に維持して糊の液面を保持する糊液面保持手段を有することを特徴とする糊付け装置。
【請求項２】
前記糊液面保持手段は、前記糊液槽内に設けられた膨張伸縮自在なバルーン又はチューブであることを特徴とする請求項１記載の糊付け装置。
【請求項３】
前記糊液面保持手段は、前記糊液槽内に上下動可能とした底部であることを特徴とする請求項１記載の糊付け装置。
【請求項４】
前記糊液槽内の前記底部は、前記糊ダムの最小幅より狭い幅を可動としたことを特徴とする請求項３記載の糊付け装置。
【請求項５】
前記糊液面保持手段は、前記糊液槽内に備えられ、前記糊液槽内に出入り可能な容積体であることを特徴とする請求項１記載の糊付け装置。
【請求項６】
芯紙の紙幅に合せて可動する一対の糊ダムと、該糊ダムにより形成される糊液槽内に溜められた糊を段成形された前記芯紙の段頂部に供給する糊付ロールとを備えた糊付け装置において、
前記糊液槽内に溜められる糊を一時的に貯留するとともに前記糊液槽よりも高い位置に設けられた貯留槽と、
前記貯留槽からオーバーフローした糊を前記糊液槽内へ供給する第１配管と、
前記貯留槽から制御弁を介して前記糊液槽内へ落下供給させる第２配管と、を備えたことを特徴とする糊付け装置。
【請求項７】
上段ロールと、該上段ロールと噛み合って芯紙を山形状に段成形する下段ロールと、山形に成形された前記芯紙の段頂部に糊付けする糊付け装置と、糊付けされた前記芯紙とライナとを前記上段ロール又は前記下段ロールとの間で加圧する加圧手段とを備えた片面段ボール製造装置において、
前記糊付け装置は、前記芯紙又は前記ライナの紙幅に合せて可動する一対の糊ダムと、
前記糊ダムにより形成される糊液槽内に溜められた糊を前記芯紙の段頂部に供給する糊付ロールと、
前記芯紙又は前記ライナの紙幅変更に伴って糊ダムが拡幅する際に、前記糊液槽内の容積を拡幅前の状態に維持して糊の液面を保持する糊液面保持手段とを備えていることを特徴とする片面段ボール製造装置。
【請求項８】
芯紙又はライナの紙幅に合せて可動する一対の糊ダムと、該糊ダムにより形成され、前記芯紙の片面に前記ライナが貼合された片面段ボールシートの他方の段頂部に糊付けする糊を貯留する糊溜と、該糊溜内の糊を塗布する糊付けロールと、前記片面段ボールシートを該糊付けロールに押し付ける押付け手段とを備えたグルーマシンにおいて、
前記芯紙ナ又は前記ライナの紙幅変更に伴って前記糊ダムが拡幅する際に、該糊溜内の容積を拡幅前の状態に維持して糊の液面を保持する糊液面保持手段を有することを特徴とするグルーマシン。
【発明の詳細な説明】
【技術分野】
【０００１】
本発明は、段ボール製造装置（コルゲートマシン）における片面段ボールシート製造装置（シングルフェーサ）やグルーマシンに関し、特にシングルフェーサやグルーマシンに設けられる糊付け装置に関するものである。
【背景技術】
【０００２】
従来の一般的なコルゲートマシンにおけるシングルフェーサ、及びグルーマシンについて図６及び図７を用いて説明する。
【０００３】
図６に示すコルゲートマシンに設けられるシングルフェーサおいて、周面に山形が成形された上段ロール１と下段ロール２とが備えられ、互いに噛み合って回転する。芯紙３は、プレヒートロール９により予備加熱された後、上段ロール１と下段ロール２との間を回転移送されることにより、山形段頂部が形成される。繰り出された芯紙３の山形段頂部に糊を塗布する糊付け装置４が下段ロール２の下方に設置される。
【０００４】
糊付け装置４は、糊付けロール５と、糊付けロール５へ供給される糊を均一にするためのドクタロール５ａと、芯紙３又はライナの紙幅に合せて幅方向（紙面に垂直方向）に可動する一対の糊ダム８とで構成される。この糊ダム８により形成される糊液槽６内に糊が貯留され、糊付けロール５により糊液槽６内から段頂部へ糊が塗布される。
【０００５】
上段ロール１と下段ロール２とが噛み合う領域と対向する位置にプレスロール（加圧手段）１０が設けられ、このプレスロール１０にて、糊付けされた芯紙３と図において右方から別経路で供給されるライナ１１とを加圧して貼合することにより、片面ダンボールシート１２が形成される。
【０００６】
図７に示すコルゲートマシンに設けられるグルーマシンにおいて、両側に立設されたフレーム１９間に糊付けロール５が回転自在に軸支されている。（同図において、手前側のフレームは省略されている。）糊付けロール５は図示しない駆動装置により片面段ボールシート１２と略同じ周速で回転される。糊付けロール５の下部には、糊溜６ａが設けられ糊が貯留されている。糊溜６ａには、芯紙３又はライナ２２の紙幅に合せて幅方向に可動する一対の糊ダム８が設けられている。この糊ダム８の内側の糊溜６ａに貯留された糊が、糊付けロール５の表面に付着することにより、片面段ボールシート１２の段頂部に塗布される。
【０００７】
なお、糊付けロール５へ供給される糊を均一に供給するため、ドクタロール５ａが設けられている。糊が塗布された片面段ボールシート１２は、アーム２０に取り付けられたライダロール２１により加圧され、別経路で図において左方から供給されたライナ２２とダブルフェーサ２３で貼合される。このようにして、両面段ボールシート２４が形成され、後工程に配置された製函機へと供給される。なお、片面段ボールシート１２の加圧手段は、ライダロール２１に限られるものではなく、板状部材や弾性部材など種々ものが適用可能である。
【０００８】
このようにして、コルゲートマシンにより種々紙幅の異なる段ボールシートを形成し、製函機へ供給することにより、段ボール箱が製造される。なお、コルゲートマシンでの紙幅変更（オーダチェンジ）は、生産管理装置からのデータに基づき変更されており、製函ラインでの生産性を向上させるためには、供給されるライナの紙幅を狭幅から広幅、或いは広幅から狭幅へとオーダチェンジを行い、種々様々なパターンの生産管理を組むことが要求されている。
【０００９】
しかしながら、上記した従来の糊付け装置では、オーダチェンジに伴い狭幅から広幅へ糊ダムを急激に拡幅すると、糊液槽内の糊液面の水位が低下して糊付けロールの浸漬量が減少し、極端な場合は糊付けロールが糊液面から離れることがあり、芯紙の段頂部へ糊を塗布することができなくなるという問題があった。よって、オーダチェンジに伴い糊ダムを拡幅する際には、糊液面の水位が急激に低下しないよう、ゆっくりと糊ダムを拡げる必要があり、そのためコルゲートマシンの生産速度を落とさなければならず、段ボールシートの生産性が悪化するという問題が生じていた。
【００１０】
このような問題を解決すべく、特許文献１には、糊ダムの一部を切欠き、所定のタイミングで主糊槽の内側或いは外側へ揺動させ得るよう構成した前記切欠穴用の遮蔽板を有し、両糊ダムの装置幅方向の外側に所定量の糊をストックできる補助糊槽を設けた、糊ダムの拡幅時には遮蔽板を開状態にして、補助糊槽から糊を供給するようにした糊付け装置が知られている。
【００１１】
また、特許文献２には、主糊槽に近接して設けられたアキュムレータと、糊付け幅拡大時の糊ダムの移動に伴う糊液面の水位の減少分を補うようアキュムレータから糊を供給するよう制御する制御装置を備えた糊付け装置が知られている。
【００１２】
【特許文献１】実開平５−２４３４６号公報
【特許文献２】実開平３−９５２２７号公報
【発明の開示】
【発明が解決しようとする課題】
【００１３】
しかしながら、特許文献１及び特許文献２に記載の装置はいずれも構造が複雑であり、また、糊液面の水位の低下を確実に抑制することができないという問題があった。また、既設の糊付け装置を改造しようとした場合、工場内の建屋ではスペースが限られており、特に機械幅方向には補助糊槽等の増設が困難であるという問題があった。さらには、構造が複雑なため、設備コストがかかるという問題もあった。
【００１４】
本発明は、上記問題点に鑑み、簡易な構造で確実に糊液面の水位の急激な低下を抑制することができる糊付け装置、及びこれを用いたコルゲートマシンにおけるシングルフェーサ、或いはグルーマシンを提供することを目的とする。
【課題を解決するための手段】
【００１５】
上記課題を解決するために、本発明にかかる糊付け装置は、芯紙又はライナの紙幅に合せて可動する一対の糊ダムと、該糊ダムにより形成される糊液槽内に溜められた糊を段成形された前記芯紙の段頂部に供給する糊付ロールとを備えた糊付け装置において、紙幅変更に伴って前記糊ダムが拡幅する際に、前記糊液槽内の容積を拡幅前の状態に維持して糊の液面を保持する糊液面保持手段を有することを特徴とする。
【００１６】
また、本発明にかかる片面段ボールシート製造装置は、上段ロールと、該上段ロールと噛み合って芯紙を山形状に段成形する下段ロールと、山形に成形された前記芯紙の段頂部に糊付けする糊付け装置と、糊付けされた前記芯紙とライナとを前記上段ロール又は前記下段ロールとの間で加圧する加圧手段とを備えた片面段ボール製造装置において、前記糊付け装置は、前記芯紙又は前記ライナの紙幅に合せて可動する一対の糊ダムと、前記糊ダムにより形成される糊液槽内に溜められた糊を前記芯紙の段頂部に供給する糊付ロールと、前記芯紙又は前記ライナの紙幅変更に伴って糊ダムが拡幅する際に、前記糊液槽内の容積を拡幅前の状態に維持して糊の液面を保持する糊液面保持手段とを備えていることを特徴とする。
【００１７】
本発明によれば、オーダチェンジに伴い糊ダム幅が狭幅から広幅へ拡幅する際に、糊液槽内の増加した容積分だけ、糊液槽内に設けられた糊液面保持手段が糊液槽内の容積を減少させるように作用するため、糊液槽内の容積が急激に大きくなることがない。したがって、糊液面の水位が急激に低下することがなく、常に糊付けロールが糊に接触するよう糊液面の水位が保持される。このため、芯紙の段頂部に対して、安定して糊を塗布することができる。これにより、シングルフェーサやグルーマシンに通紙する芯紙又はライナの紙幅変更時の損紙が低減されるとともに、糊ダムの拡幅時においてもコルゲートマシンの生産速度を落とすことなく段ボールシートを生産することが可能となる。すなわち、生産性が格段に向上する。また、紙幅変更（狭幅→広幅，広幅→狭幅などの生産条件（オーダ））に制約を受けることがなく、後工程である製函ラインでの生産性を向上することも可能となる。また、糊液槽内に糊液面保持手段を追加するだけで、糊液面の水位を保持することが可能なため、既設の糊付け装置に対しても容易に追設することができる。
【００１８】
また、本発明にかかる糊付け装置において、前記糊液面保持手段は、前記糊液槽内に設けられた膨張伸縮自在なバルーン又はチューブであることを特徴とする。
【００１９】
本発明よれば、オーダチェンジに伴う糊ダムの拡幅方向への移動に合せてバルーン又はチューブにエアー等の気体を供給し除々にバルーン等を膨らませる。これにより、糊ダムの拡幅によって糊液槽内の容積が急激に大きくなることがない。したがって、バルーン又はチューブを糊液槽内に設置するのみの簡易な構造で糊液面の水位の急激な低下を防止することができ、安定して段頂部に糊を塗布することができる。これにより、シングルフェーサに通紙する芯紙又はライナの紙幅変更時の損紙が低減されるとともに、コルゲートマシンの生産速度を落とすことなく段ボールシートを生産することが可能となる。また、簡易な構造のため、設置面積などの制約をうけることがなく、既設の糊付け装置に対して簡単に追設できる。
【００２０】
また、本発明にかかる糊付け装置において、前記糊液面保持手段は、前記糊液槽内に上下動可能とした底部であることを特徴とする。
【００２１】
本発明よれば、オーダチェンジに伴い糊ダム幅が狭幅から広幅へ拡幅し、糊液槽の容積が大きくなっても、糊液槽の底部又は糊液槽内の底部に設けられた可動板を上昇させることにより、糊液槽内の容積をある程度一定に保持可能となる。このため、糊液面の水位が急激に低下することがなく、安定して糊を段頂部に塗布することができる。これにより、シングルフェーサに通紙する芯紙又はライナの紙幅変更時の損紙が低減されるとともに、コルゲートマシンの生産速度を落とすことなく段ボールシートを生産することが可能となる。また、糊付け装置の下方空間はスペースの制約が少ないため、既設の糊付け装置に対しても設置スペースの制約を受けることがなく、糊液面保持手段を追設することができる。
【００２２】
また、本発明にかかる糊付け装置において、前記糊液槽の前記底部は、前記糊ダムの最小幅より狭い幅を可動としたことを特徴とする。
【００２３】
本発明よれば、糊ダム幅の最小紙幅より内側、つまり、糊ダムの非可動範囲内の糊液槽内の底部を可動とすることにより、簡易な構造で糊液面の水位の急激な低下を防止することができる。これにより、芯紙や片面段ボールシートなどの段頂部に対して、安定して糊を塗布することができる。これにより、シングルフェーサに通紙する芯紙又はライナの紙幅変更時の損紙が低減されるとともに、コルゲートマシンの生産速度を落とすことなく段ボールシートを生産することが可能となる。また、既設の糊付け装置に対しても糊付け装置の下部に追設することにより、比較的設置スペースの制約がなく、容易に糊液面保持手段の追設が可能となる。
【００２４】
また、本発明にかかる糊付け装置において、前記糊液面保持手段は、前記糊液槽内に備えられ、前記糊液槽内に出入り可能な容積体であることを特徴とする。
【００２５】
本発明よれば、糊ダムの拡幅時に容積体を糊液槽内へ下降させることにより、糊液槽内の容積が急激に大きくなることを防止することができる。これにより、糊液槽内の糊液面の水位の急激な低下を防止することができ、糊付けローラが段頂部に対して安定して糊を塗布することができる。これにより、シングルフェーサに通紙する芯紙又はライナの紙幅変更時の損紙が低減されるとともに、コルゲートマシンの生産速度を落とすことなく段ボールシートを生産することが可能となる。また、既設の糊付け装置に対しても糊液槽内に水や錘等を含む容積体を設けて、糊液槽内の容積が大きくなる際に、この容積体を糊液槽内に沈没させるようにすることで、簡易な構造で糊液面の水位の急激な低下を防止することができる。
【００２６】
また、本発明にかかる糊付け装置において、芯紙の紙幅に合せて可動する一対の糊ダムと、該糊ダムにより形成される糊液槽内に溜められた糊を段成形された前記芯紙の段頂部に供給する糊付ロールとを備えた糊付け装置において、前記糊液槽内に溜められる糊を一時的に貯留するとともに前記糊液槽よりも高い位置に設けられた貯留槽と、前記貯留槽からオーバーフローした糊を前記糊液槽内へ供給する第１配管と、前記貯留槽から制御弁を介して前記糊液槽内へ落下供給させる第２配管と、を備えたことを特徴とする。
【００２７】
本発明よれば、通常運転時や糊ダム幅の広幅から狭幅へのオーダチェンジ時には、第１配管により必要な糊を供給し、逆に狭幅から広幅へのオーダチェンジ時には、第２配管に設置された制御弁を開くことにより、糊液槽内へ糊を落下供給することが可能となる。これにより、制御弁を開くのみで糊が自然に糊液槽内へ落下供給されるため、ポンプ等の装置を必要とせず簡易な構造で糊液面の水位を保持することができる。したがって、糊液面の水位が急激に低下することがなく、芯紙や片面段ボールシートなどの段頂部に対して、安定して糊を塗布することができる。これにより、シングルフェーサに通紙する芯紙又はライナの紙幅変更時の損紙が低減されるとともに、コルゲートマシンの生産速度を落とすことなく段ボールシートを生産することが可能となる。また、既設のコルゲートマシンやグルーマシンに設けられる糊付け装置に対しても、貯留槽と配管のみを追設すればよく、設置場所などの制約を受けることがない。これにより、コルゲートマシンの生産速度を落とすことなく、安定した貼合を維持することが可能となり、後工程である製函ラインでの生産性を向上することもできる。
【００２８】
また、本発明にかかるグルーマシンは、芯紙又はライナの紙幅に合せて可動する一対の糊ダムと、該糊ダムにより形成され、前記芯紙の片面に前記ライナが貼合された片面段ボールシートの他方の段頂部に糊付けする糊を貯留する糊溜と、該糊溜内の糊を塗布する糊付けロールと、前記片面段ボールシートを該糊付けロールに押し付ける押付け手段とを備えたグルーマシンにおいて、前記芯紙ナ又は前記ライナの紙幅変更に伴って前記糊ダムが拡幅する際に、該糊溜内の容積を拡幅前の状態に維持して糊の液面を保持する糊液面保持手段を有することを特徴とする。
【００２９】
本発明によれば、オーダチェンジに伴い糊溜幅が狭幅から広幅へ拡幅し、糊溜の容積が急激に大きくなっても、糊液面保持手段により糊液面の水位が急激に低下することがなく、常に糊付けローラが糊に接触するよう糊液面の水位が保持される。このため、片面段ボールシートの段頂部に対して、安定して糊を塗布することができる。これにより、シングルフェーサに通紙する芯紙又はライナの紙幅変更時の損紙が低減されるとともに、コルゲートマシンの生産速度をおとすことなく、ダブルフェーサからの片面段ボールシートとライナとの安定した貼合を維持することが可能となる。したがって、グルーマシンに通紙する原紙の紙幅に制約を受けることがなく、後工程である製函ラインでの生産性を向上することもできる。
【発明の効果】
【００３０】
本発明の糊付け装置、及びこれを使用したシングルフェーサ、或いはグルーマシンによれば、オーダチェンジに伴い糊ダム幅が狭幅から広幅へ拡幅しても、糊液面の水位が急激に低下することがなく、常に糊付けローラが糊に接触するよう糊液面の水位が保持される。このため、芯紙や片面段ボールシートなどの段頂部に対して、安定して糊を塗布することができる。これにより、安定した貼合を維持することが可能となり、コルゲートマシンにおけるシングルフェーサやグルーマシンに通紙する原紙の紙幅が制約を受けることがなく、後工程である製函ラインでの生産性が向上される。
【発明を実施するための最良の形態】
【００３１】
以下に、本発明にかかる実施形態について、図面を参照して説明する。
［第一実施形態］
【００３２】
本発明の第１実施形態にかかる糊付け装置を備えたシングルフェーサについて、図１及び図２を用いて説明する。なお、本第１実施形態はコルゲートマシンに設けられたグルーマシンの糊付け装置としても適用可能である。
【００３３】
図１において、周面に山形が成形された上段ロール１と下段ロール２とが備えられ、互いに噛み合って回転する。図中左方から供給される芯紙３は、プレヒートロール９により予備加熱された後、上段ロール１と下段ロール２との間を回転移送されることにより、山形段頂部が形成される。上段ロール１及び下段ロール２の間を通った芯紙３は、山形段頂部に繰り出され、上段ロール１と下段ロール２との噛み合い部より下流側（図中、下段ロール２の下方）に設置された糊付け装置４により芯紙３の段頂部に糊が塗布される。
【００３４】
糊が塗布された芯紙３は、下段ロールのさらに回転下流側に設置されたプレスロール１０により、図中右方から別経路で供給されるライナ１１と所定の温度で加圧されて重ね合わせられ、片面段ボールシート１２が形成される。なお、芯紙３とライナ１１とを加圧する加圧手段は、プレスロール９のようなロール式加圧手段に限定されず、ロール間に巻き回されたエンドレスベルト（無端状ベルト）で加圧を行うベルト式加圧手段としてもよく、芯紙３とライナ１１とを加圧して重ね合わせるものであればよい。また、上段ロール１、下段ロール２、芯紙３及びライナ１１の供給位置、加圧手段９等の位置関係は、上段ロール１と下段ロール２との位置が逆転した形態、或いは、上段ロール１又は下段ロール２の上方に加圧手段９を配置した形態であってよく、これらの配置関係は図１に限定されるものではない。
【００３５】
なお、片面段ボールシート１２は、後工程で図示しない予備加熱装置（プレヒータユニット）に送られ、加熱されてグルーマシンに供給される。グルーマシンでは、図７に示したように、従来と同様にして片面段ボールシート１２の段頂部（表面）に糊付け装置４により糊が塗布される。その後、別経路で供給されたライナ（表ライナ）２２と片面段ボールシート１２とがダブルフェーサ２３で所定の温度で加圧されて貼合されることで、両面段ボールシート２４が形成される。両面段ボールシート２４は、後工程の製函機で段ボールに加工される。
【００３６】
上記したシングルフェーサ及びグルーマシンに設けられる糊付け装置４について、図２を用いて説明する。図２は図１の糊付け装置４を平面視した図である。
両側に立設されたフレーム１９間に糊付けロール５が回転自在に軸支されている。糊付けロール５の下方には、糊を貯留するための糊液槽６と、芯紙３又はライナ１１の紙幅に合せて紙幅方向（図において左右方向）に可動する一対の糊ダム８とが設けられ、この糊ダム８により形成される糊液槽６（糊溜６ａ）内に糊が貯留される。
【００３７】
糊ダム８の一端は、ガイド部材２７により支持されており、ガイド部材２７に設けられた図示しないサーボモータ等の駆動手段により、ガイド部材２７を駆動させて、糊ダム８を紙幅と同じになるように幅方向へ拡縮自在に移動可能となっている。この糊ダム８によって形成された糊液槽６（糊溜６ａ）内に糊供給用ポンプ２９（図１参照）から糊が一定量供給されることにより、糊が貯留される。なお、糊液槽６の糊ダム８の外側（図において糊ダム８の左右両側の空間）には、糊が貯留されないため、紙幅と同じ幅部分の糊付けロール５のみに糊が塗布されて、芯紙３の段頂部へ塗布されることとなる。
【００３８】
なお、ガイド部材２７は、ボールネジまたはスクリューネジ、或いはリニアガイドのいずれかにより構成され、糊ダム８を紙幅に精度良く合せることが可能となっている。また、糊付けロール５の回転方向に対し糊液槽６の下流側から、上段ロール１と糊付けロール５との接触域の間に、糊付けロール５の糊を均一にするためのドクタロール５ａが設けられている。このドクタブロール５ａに代えて、ドクタブレードとしてもよい。
【００３９】
糊液槽６内には、糊液面の水位を一定に保持するための糊液面保持手段が設けられ、糊液面保持手段は、糊液槽６内に設けられた伸縮自在なバルーン（又はチューブ）７と、このバルーン７を伸縮させるためのエアーを供給するポンプ２８とにより構成され、このポンプは糊付け装置４の近傍に設置されている。バルーン７とポンプ２８とはホース或いはパイプ等の配管１７で接続され、この配管１７には制御弁１８が設けられている。制御弁１８は、制御装置２５に接続されており、糊ダム８の拡縮に同期させて制御弁１８の開閉が制御される。
なお、制御弁１８は逆止弁又は電磁弁等のバルーン７内に供給するエアーを供給／排気制御可能なものであればよく、第１実施形態においては、逆止弁を用いることが好ましい。
【００４０】
次に、第１実施形態にかかる糊付け装置４の作用について、シングルフェーサの場合を例にして説明する。ただし、グルーマシンの糊付け装置４についても同様の作用を示す。
図２において、糊ダム８は、供給されるライナの紙幅に合せて糊ダム幅が幅方向に移動される。これにより、ライナが張り合わされる紙幅分のみに糊液槽６内の糊が芯紙の段頂部へ塗布されることとなる。ライナの紙幅が最小幅から最大幅へオーダチェンジされた場合、糊ダム８幅も最小幅Ｌ１から最大幅Ｌ２へ拡幅される。このとき、糊液槽６内の容積が急激に大きくなるため、糊液面の水位の低下に対して糊の供給が間に合わず、糊液面の水位が一気に低下することとなる。通常、最大幅Ｌ２は、最小幅の２倍に設定されることが多く、Ｌ１からＬ２への拡幅時には、最大で糊液槽の糊液面の水位が１／２低下するため、糊付けローラ５が糊液面に接触せず、糊が糊付けローラ５に塗布されない状態となる。
【００４１】
糊液槽６内への糊補給量は、糊付けローラ５に塗布されて消費される量の約１．２〜１．３倍に設定されており、糊液槽６内からオーバーフローした糊は、図示しない回収パンで回収され、糊供給系統へ循環させている。したがって、糊ダム８が拡幅する場合、過剰供給していた２０％〜３０％の糊が糊液槽６内の容積増大分として許容されるが、糊液面の水位は最大で１／２減少するため、糊付けローラ５に糊が塗布されない状態となる。
【００４２】
このようなオーダチェンジに伴う糊ダム８幅のＬ１からＬ２（図中２点鎖線）への拡幅時において、糊液槽６内に設置されたバルーン７は、糊液槽の容積変化に合せて図２中実線で示す状態から除々に１点鎖線で示す状態へ伸張される。このとき、バルーン７へのエアー供給は、制御装置２５によって糊ダム８の拡幅速度にあわせて制御される。これにより、糊液槽６の容積変化を見かけ上防止することができ、糊液面の水位が一気に低下することがない。このため、常に糊付けローラ５が糊に接触するよう糊液面の水位が保持され、安定して糊付けロール５に糊を塗布することができ、芯紙とライナとの安定した貼合を維持することが可能となる。したがって、シングルフェーサやグルーマシンに通紙する芯紙又はライナの紙幅変更時の損紙が低減されるとともに、糊ダムの拡幅時においてもコルゲートマシンの生産速度を落とすことなく段ボールシートを生産することが可能となる。すなわち、生産性が格段に向上する。また、紙幅変更（狭幅→広幅，広幅→狭幅などの生産条件（オーダ））に制約を受けることがなく、後工程である製函ラインでの生産性を向上することも可能となる。
【００４３】
なお、図１に示すように、制御装置２５と制御弁１８とが接続され、糊ダム８の拡縮に同期させて制御弁１８ａの開閉が制御される。糊ダム８をＬ１からＬ２へ拡幅する場合は、ポンプ２８からバルーン７にエアーが供給されてバルーン７が除々に伸張される。このとき、制御弁１８によりバルーン７からエアーが逆流しないため、バルーン７は伸張状態に保持される。逆に、糊ダム８をＬ２からＬ１に狭幅する場合は、制御弁１８を開状態してバルーン７からエアーを排気する。制御装置２５は、糊ダム８の拡縮に同期させて制御弁１８の開閉を制御するので、糊液槽６の容積を自動で略一定に保持することができる。
【００４４】
或いは、ポンプ２８と制御装置２５とを接続し、糊ダム８の拡縮に同期させてポンプ２８のエアー供給量を制御するようにしてもよい。これによれば、糊ダム８のＬ１からＬ２への拡幅に合せて、バルーン７へのエアー供給量を調整し、Ｌ２からＬ１への狭幅時には、制御弁１８を開放してエアーの排気量を調整するため、糊液槽６の容積を自動で略一定に保持することができる。また、糊ダム８の拡幅速度に同期させてバルーン７を伸張させることにより、糊液槽６内から糊が溢れ出るのを防止することができる。
【００４５】
このように、本発明の第１実施形態における糊付け装置４の糊液面保持手段は、伸縮自在なバルーン７と、バルーン７にエアーを供給するためのポンプ２８のみの簡易な構造で構成されている。このため、コルゲートマシンが設置される工場内において、設置面積などの制約をうけることがなく、既設の従来の糊付け装置に対して簡単に追設することができる。
【００４６】
〔第二実施形態〕
次に、本発明にかかる糊付け装置の第２実施形態について、図３及び図４を用いて説明する。図４は、図３の糊付けローラ側から見た正面図である。
【００４７】
図３において、糊付け装置４の両側に立設されたフレーム１９間に糊付けローラ５が回転自在に支持されている。糊付けローラ５の下方には、糊を貯留する糊液槽６が設置され、芯紙又はライナの紙幅に合せて幅方向（図において左右方向）に可動する一対の糊ダム８が設けられている。糊ダム８により形成される糊液槽６（糊溜６ａ）内側に糊が貯留され、糊ダム８の外側（図において糊ダム８の左右両側の空間）と糊液槽６との間には糊が貯留されないようになっている。糊ダム８は、紙幅方向の一端をガイド部材２７により支持され、ガイド部材２７には、図示しないサーボモータ等の駆動手段が設けられている。この駆動手段により、ガイド部材２７を駆動して、糊ダム８を紙幅と同じ幅になるように幅方向へ拡縮自在に移動可能となっている。
【００４８】
また、糊液槽６の底部には、可動板１３が設けられ、この可動板１３を昇降するアクチュエータ１４が糊液槽６の下方に設置されている（図４参照）。可動板１３の糊ダム８側の側面は、ジャバラなどの伸縮部材でシールされた構造とすることが望ましい。また、アクチュエータ１４は、エアシリンダ、油圧シリンダ，モータなどが適用される。その他、アクチュエータに代えて、ボールネジやリニアガイドのガイド部材とモータ等の駆動手段との組み合わせとしてもよい。なお、可動板１３は、糊ダム８の最小幅より内側に設置されることが好ましい。或いは、可動板１３を設置しない場合は、糊液槽内の底部自体を可動させてもよい。
【００４９】
第１実施形態と同様に、オーダチェンジに伴う糊ダム８幅が狭幅から広幅に拡幅された場合、糊ダム８が拡幅する速度に同期させて、アクチュエータ１４により可動板１３を図４中２点鎖線から実線で示す位置へ除々に上昇させる。このように、可動板１３を除々に上昇させることにより、糊液槽６内の容積を拡幅前と略一定に保持し、糊液面の水位が急激に低下するのを防止する。これにより、糊ダム８によって形成された糊液槽６（糊溜６ａ）内に貯留された糊は、芯紙又はライナの紙幅と同じ幅部分の糊付けロール５に安定して糊が転移され、芯紙３の段頂部へ塗布される。また、糊ダム８の可動速度に同期させて可動板１３を上昇させることにより、糊ダム８の拡幅時に糊液槽６内から糊が溢れ出るのを防止することができる。
【００５０】
また、本実施形態の糊液面保持手段は、可動板１３とアクチュエータ１４のみの簡易な構造であり、糊付け装置４の下方に設置するようにしたので、設置スペースの制約を受けることがない。特に、既存の糊付け装置に対しては、機械幅方向に追設可能なスペースがないため、比較的スペースのある装置下部に、可動板１３とアクチュエータ１４とを容易に設置可能としたことは有効である。
【００５１】
このように、本発明の第２実施形態における糊液面保持手段は、オーダチェンジに伴い糊液槽６内の容積が大きくなっても、糊液槽６内の容積を略一定に保持することができる。このため、糊液面の水位が急激に低下することがなく、安定して糊を段頂部に塗布することができる。また、糊付け装置の下方空間はスペースの制約が少ないため、既設の糊付け装置に対しても設置スペースの制約を受けることがなく、容易に糊液面保持手段を追設することができる。
【００５２】
さらには、糊ダム幅の最小紙幅より内側、つまり、糊ダムの非可動範囲内の糊液槽６底部に可動板１３を設置、或いは糊液槽６底部を可動とすることにより、簡易な構造で糊液面の水位の急激な低下を防止することができる。これにより、芯紙や片面段ボールシートなどの段頂部に対して、安定して糊を塗布することができる。また、既設の糊付け装置に対しても装置下部の空間に追設することにより、設置スペースの制約をうけることがなく、容易に糊液面保持手段の追設が可能となる。
【００５３】
〔第三実施形態〕
次に、本発明にかかる糊付け装置の第３実施形態について、図５を参照して説明する。なお、図５は本発明の第３実施形態における糊付け装置の要部を示した側面図である。
【００５４】
糊付け装置４の両側に立設されたフレーム（図示省略）に糊付けローラ５が回転自在に支持されている。糊付けローラ５の下方には、糊を貯留する糊液槽６が設置され、紙幅に合せて幅方向（紙面に垂直方向）に可動する一対の糊ダム８が設けられている。糊ダム８により形成される糊液槽６内側に糊が貯留され、糊ダム８の外側と糊液槽６との空間には糊が貯留されないようになっている。図示していないが、糊ダム８は、幅方向の一端側をガイド部材により支持され、ガイド部材には、サーボモータ等の駆動手段が設けられている。この駆動手段により、ガイド部材を駆動させて、糊ダム８を芯紙３又はライナ１１の紙幅と同じ幅となるように幅方向へ拡縮自在に移動可能となっている。
【００５５】
上記糊付け装置４に加え、本発明の第３実施形態における糊液面保持手段は、糊液槽よりも高い位置に貯留槽１５が設けられ、第１配管１６と第２配管１７とにより貯留槽１５と糊液槽６とが接続されている。第２配管には、制御弁１８が設置され、制御弁１８と制御装置（図１参照）とが接続されている。この制御弁１８は、好ましくは電磁式の流量制御弁が用いられるが、その他公知の制御弁を用いることが可能である。
【００５６】
貯留層１５は、図示しない糊供給系統から供給される糊を一時的に貯留する。第１配管１６は、貯留槽１５の上部付近の側方に設置され、通常、貯留槽１５から第１配管を通してオーバーフローさせた糊が糊液槽６内へ供給される。第２配管の一端は、貯留槽１５の底部に設置され、糊ダム８の拡幅時に制御弁１８を開にして第２配管内を落下させて糊液槽６内へ供給する。なお、制御弁１８は通常、閉じられている。また、第１配管１６及び第２配管１７は、ビニルホースなどのフレキシブル配管としても、鋼管としてもよく、設置場所（配管経路）や使用条件（温度、圧力等）により適宜選択すればよい。
【００５７】
次に、本発明の第３実施形態における糊液面保持手段の作用について説明する。上記した実施形態と同様に、オーダチェンジに伴い糊ダム８幅が最小幅Ｌ１から最大幅Ｌ２（図２中２点鎖線）に拡幅された場合、糊ダム８が拡幅する速度に同期させて、第２配管１７に設けられた制御弁１８の開度を制御して、貯留層１５に溜められている糊を糊液槽６内へ供給する。制御弁１８の開度制御は、制御装置により制御される。糊ダム８の拡幅が終了したら、制御弁１８を閉じ、貯留槽１５に糊を溜めていく。貯留槽１５の糊液面の水位が第１配管１６まで上昇すると、再びオーバーフローした糊が糊液槽６内に供給されることとなる。なお、第２配管１７により貯留層１５の糊を糊液槽６内に供給した後、糊供給系統から貯留槽１５への糊の供給量を増加させるように制御するとよい。
【００５８】
通常運転時、或いは糊ダム幅の広幅から狭幅へのオーダチェンジ時には、第１配管により必要な糊量を供給し、逆に狭幅から広幅へのオーダチェンジ時には、第２配管に設置された制御弁１８を開くことにより、糊液槽内へ糊を落下供給することが可能となる。これにより、ポンプ２８等の装置を必要とせず簡易な構造で糊液槽６内の糊液面の水位が急激に低下するのを防止することができる。これにより、糊液槽６内に貯留された糊が、芯紙又はライナの紙幅と同じ幅部分の糊付けロール５に安定して塗布され、芯紙３の段頂部へ塗布される。
【００５９】
また、糊液槽６の上方に貯留槽１５を設置し、糊液槽６と貯留槽１５とを第１配管１６及び第２配管１７で接続するだけでよく、設計の自由度が高いため、既設のコルゲートマシンやグルーマシンに設けられた糊付け装置に対しても、設置場所の制約を受けることがなく、容易に糊液面保持手段を追加することができる。
【００６０】
なお、上記した第１及び第２実施形態の糊液面保持手段に代えて、糊液槽６内に容積体を設け、この容積体を糊液槽６内に出入可能とする駆動機構を備えてもよい。容積体は、水等の液体を入れた容器、或いは鉛などの錘（重量物）を用い、駆動機構としては、クレーンなどの吊荷装置、エアシリンダなどのアクチュエータとクランク機構又はガイド部材との組み合わせ等、適宜選択することができる。
【００６１】
容積体は通常糊液槽６外に保持された状態となっており、オーダチェンジに伴い糊ダム８を拡幅する場合には、駆動機構により容積体を糊液槽６内へ下降させる。これにより、糊液槽６内の容積が増加するのを防止することができ、糊液槽６内の糊液面の水位の急激な低下を防止することができる。このため、糊付けローラ５が段頂部に対して安定して糊を塗布することができる。したがって、シングルフェーサやグルーマシンに通紙する芯紙又はライナの紙幅変更時の損紙が低減されるとともに、糊ダムの拡幅時においてもコルゲートマシンの生産速度を落とすことなく段ボールシートを生産することが可能となる。また、紙幅変更（狭幅→広幅，広幅→狭幅などの生産条件（オーダ））に制約を受けることがなく、後工程である製函ラインでの生産性を向上することも可能となる。さらに、既設の糊付け装置に対しても、糊液槽６内に容積体を出入可能に設けるだけでよく、容易に糊液面保持手段を追加することができる。
【図面の簡単な説明】
【００６２】
【図１】本発明の第１実施形態における片面段ボールシート製造装置の概略を示す側面図である。
【図２】本発明の第１実施形態における糊付け装置を示す平面図である。
【図３】本発明の第２実施形態における糊付け装置を示す平面図である。
【図４】本発明の第２実施形態における糊付け装置を示す正面図である。
【図５】本発明の第３実施形態における糊付け装置を示す側面図である。
【図６】従来の一般的なシングルフェーサの構成を示す概略図である。
【図７】従来の一般的なグルーマシンの構成を示す概略図である。
【符号の説明】
【００６３】
１  上段ロール
２  下段ロール
３  芯紙
４  糊付け装置
５  糊付けロール
５ａ  ドクタブレード
６  糊液槽
７  バルーン（又はチューブ）
８  糊ダム
９  ローラ
１０  エンドレスベルト（無端状ベルト）
１１  ライナ
１２  片面段ボールシート
１３  可動板（底部）
１４  アクチュエータ
１５  貯留槽
１６  第１配管
１７  第２配管
１８  制御弁（逆止弁又は電磁弁）
２１  ライダロール（押付け手段）
２２  ライナ
２３  ダブルフェーサ
２４  両面段ボールシート
【図１】
2006069095.tif 000003
【図２】
2006069095.tif 000004
【図３】
2006069095.tif 000005
【図４】
2006069095.tif 000006
【図５】
2006069095.tif 000007
【図６】
2006069095.tif 000008
【図７】
2006069095.tif 000009